(57)【要約】【課題】    本発明の目的は、ラランドセルの蓋とランドセルの収納部との隙間から侵入する雨の阻止を図ったランドセルカバーを提供するものである。【解決手段】    ランドセルカバーＣは、ランドセル１の収納部１２Ａ、１２Ｂ、１２Ｃの開口部を覆う蓋１１を覆うランドセルカバーＣであって、このランドセルカバーＣにランドセル１の収納部１２Ａ、１２Ｂ、１２Ｃの開口部を覆った蓋１１と収納部１２Ａ、１２Ｂ、１２Ｃの開口部との隙間をランドセル１の一方の側面から覆う一方側面覆い部ＣＡと、ランドセル１の収納部１２Ａ、１２Ｂ、１２Ｃの開口部を覆った蓋１１と収納部１２Ａ、１２Ｂ、１２Ｃの開口部との隙間をランドセル１の他方の側面から覆う他方側面覆い部ＣＢとを設けているものである。【選択図】図４
2014110835.tif 000002
【特許請求の範囲】
【請求項１】
ランドセルの蓋を覆うランドセルカバーであって、
このランドセルカバーに前記ランドセルの収納部の開口部を覆った前記蓋と前記収納部の開口部との隙間を前記ランドセルの一方の側面から覆う一方側面覆い部と、前記ランドセルの収納部の開口部を覆った前記蓋と前記収納部の開口部との隙間を前記ランドセルの他方の側面から覆う他方側面覆い部と
を設けていることを特徴とするランドセルカバー。
【請求項２】
ランドセルの蓋を覆うランドセルカバーであって、
このランドセルカバーは、一方の端部に前記蓋の前縁部に当接する袋状部、この袋状部から遠い側の他方の端部に紐を備え、
前記袋状部は、前記ランドセルの係止金具を通す孔部を有し、
前記ランドセルカバーは前記孔部を介して前記蓋に装着され、この装着は、前記蓋の前縁部に前記袋状部の底部が当接し、前記ランドセルの背当て上部に取り付けられた係止部に前記紐で係止させ、
前記ランドセルカバーを前記蓋に装着したまま前記ランドセルの収納部の開口部を開閉できるようにしたものであり、
前記ランドセルカバーに前記ランドセルの収納部の開口部を覆った前記蓋と前記収納部の開口部との隙間を前記ランドセルの一方の側面から覆う一方側面覆い部と、前記ランドセルの収納部の開口部を覆った前記蓋と前記収納部の開口部との隙間を前記ランドセルの他方の側面から覆う他方側面覆い部とを設けている
ことを特徴とするランドセルカバー。
【請求項３】
平面視、長方形の芯材はランドセルカバーに内在され、前記芯材は前記ランドセルカバーの他方の端部内であって、前記他方の端部の略全幅に亘っている
ことを特徴とする請求項２記載のランドセルカバー。
【請求項４】
収納部は、上部が開口した複数の収納部であり、
一方側面覆い部は、蓋と前記上部が開口した複数の収納部との隙間を一方の側面から覆うものであり、
他方側面覆い部は、前記蓋と前記上部が開口した複数の収納部との隙間を他方の側面から覆うものである
ことを特徴とする請求項１又は請求項２記載のランドセルカバー。
【発明の詳細な説明】
【技術分野】
【０００１】
本発明は、ランドセルカバーに係り、特に、ランドセルの蓋とランドセルの収納部との隙間から侵入する雨の阻止を図ったランドセルカバーに関する。
【背景技術】
【０００２】
従来、ランドセルが雨で濡れることを防止するものとして袋状のランドセルカバーがある（特許文献１参照）。
この袋状のランドセルカバーは、ランドセルの収納部とランドセルの蓋とを覆うものである。
また、ランドセルの蓋のみを覆うランドセルカバーもある（特許文献２参照）。
【先行技術文献】
【特許文献】
【０００３】
【特許文献１】特開２０１１−２５８６２７号公報
【特許文献２】意匠登録第１３９９９１２号公報
【発明の概要】
【発明が解決しようとする課題】
【０００４】
しかしながら、上述した前者のランドセルカバーにあっては、ランドセルの収納部から、本、ノートを取り出そうとするには、ランドセルカバーが袋状に形成されているため、ランドセルからランドセルカバーを取り外さなければならず面倒であるという問題点がある。
これに対して、後者のランドセルカバーにあっては、ランドセルからランドセルカバーを取り外さなくても、ランドセルカバーをランドセルに装着したまま、ランドセルの収納部から、本、ノートを取り出すことができる。
しかしながら、後者のランドセルカバーにあっては、ランドセルの蓋とランドセルの収納部とと間に隙間が形成されるため、該隙間から雨が侵入し、ランドセル内の本、ノートを濡らしてしまうという問題点がある。
【０００５】
本発明は、上記の問題点を考慮してなされたもので、ランドセルの蓋とランドセルの収納部との隙間から侵入する雨の阻止を図ったランドセルカバーを提供することを目的とする。
【課題を解決するための手段】
【０００６】
請求項１記載のランドセルカバーは、ランドセルの蓋を覆うランドセルカバーであって、このランドセルカバーに前記ランドセルの収納部の開口部を覆った前記蓋と前記収納部の開口部との隙間を前記ランドセルの一方の側面から覆う一方側面覆い部と、前記ランドセルの収納部の開口部を覆った前記蓋と前記収納部の開口部との隙間を前記ランドセルの他方の側面から覆う他方側面覆い部とを設けているものである。
【０００７】
また、請求項２記載のランドセルカバーは、ランドセルの蓋を覆うランドセルカバーであって、このランドセルカバーは、一方の端部に前記蓋の前縁部に当接する袋状部、この袋状部から遠い側の他方の端部に紐を備え、前記袋状部は、前記ランドセルの係止金具を通す孔部を有し、前記ランドセルカバーは前記孔部を介して前記蓋に装着され、この装着は、前記蓋の前縁部に前記袋状部の底部が当接し、前記ランドセルの背当て上部に取り付けられた係止部に前記紐で係止させ、前記ランドセルカバーを前記蓋に装着したまま前記ランドセルの収納部の開口部を開閉できるようにしたものであり、前記ランドセルカバーに前記ランドセルの収納部の開口部を覆った前記蓋と前記収納部の開口部との隙間を前記ランドセルの一方の側面から覆う一方側面覆い部と、前記ランドセルの収納部の開口部を覆った前記蓋と前記収納部の開口部との隙間を前記ランドセルの他方の側面から覆う他方側面覆い部とを設けているものである。
【０００８】
また、請求項３記載のランドセルカバーは、請求項２記載のランドセルカバーにおいて、平面視、長方形の芯材はランドセルカバーに内在され、前記芯材は前記ランドセルカバーの他方の端部内であって、前記他方の端部の略全幅に亘っているものである。
【０００９】
また、請求項４記載のランドセルカバーは、請求項１又は請求項２記載のランドセルカバーにおいて、収納部は、上部が開口した複数の収納部であり、一方側面覆い部は、蓋と前記上部が開口した複数の収納部との隙間を一方の側面から覆うものであり、他方側面覆い部は、前記蓋と前記上部が開口した複数の収納部との隙間を他方の側面から覆うものである。
【発明の効果】
【００１０】
請求項１記載のランドセルカバーによれば、ランドセルの蓋を覆うランドセルカバーであって、このランドセルカバーに前記ランドセルの収納部の開口部を覆った前記蓋と前記収納部の開口部との隙間を前記ランドセルの一方の側面から覆う一方側面覆い部と、前記ランドセルの収納部の開口部を覆った前記蓋と前記収納部の開口部との隙間を前記ランドセルの他方の側面から覆う他方側面覆い部とを設けているため、蓋とランドセルの収納部の開口部との隙間からランドセルの収納部へ侵入する雨を阻止することができ、しかも、一方側面覆い部と他方側面覆い部は、ランドセルの側面全体を覆うものでないため、ランドセルカバーをランドセルに装着したまま、ランドセルの収納部から、本、ノートを取り出すことができ、使用勝手の良好なランドセルカバーを得ることができる。
【００１１】
また、請求項２記載のランドセルカバーによれば、ランドセルカバーに前記ランドセルの収納部の開口部を覆った前記蓋と前記収納部の開口部との隙間を前記ランドセルの一方の側面から覆う一方側面覆い部と、前記ランドセルの収納部の開口部を覆った前記蓋と前記収納部の開口部との隙間を前記ランドセルの他方の側面から覆う他方側面覆い部とを設けているため、蓋とランドセルの収納部の開口部との隙間からランドセルの収納部へ侵入する雨を阻止することができ、しかも、一方側面覆い部と他方側面覆い部は、ランドセルの側面全体を覆うものでないため、ランドセルカバーをランドセルに装着したまま、ランドセルの収納部から、本、ノートを取り出すことができ、使用勝手の良好なランドセルカバーを得ることができる。
【００１２】
また、請求項３記載のランドセルカバーによれば、前述した請求項２記載の発明の効果に加え、平面視、長方形の芯材はランドセルカバーに内在され、前記芯材は前記ランドセルカバーの他方の端部内であって、前記他方の端部の略全幅に亘っているため、ランドセルカバーを蓋に装着したまま蓋を開閉しても、ランドセルの蓋にランドセルカバーを装着した状態を保持することができる。
【００１３】
また、請求項４記載のランドセルカバーによれば、収納部は、上部が開口した複数の収納部であり、一方側面覆い部は、蓋と前記上部が開口した複数の収納部との隙間を一方の側面から覆うものであり、他方側面覆い部は、前記蓋と前記前記上部が開口した複数の収納部との隙間を他方の側面から覆うものであるため、蓋と上部が開口した複数の収納部との隙間からランドセルの収納部へ侵入する雨を阻止することができる。
【図面の簡単な説明】
【００１４】
【図１】図１は、本発明の一実施例のランドセルカバーをランドセルの蓋に装着された状態の概略的斜視図である。
【図２】図２は、図１のランドセルをランドセルの背負い側から見た概略的斜視図である。
【図３】図３は、図１のランドセルの蓋を開いて平面的に見た概略的平面図である。
【図４】図４は、図１のランドセルの蓋の開閉状態を概略的に示すランドセルの概略的左側面図である。
【図５】図５は、図１のランドセルカバーの概略的展開図である。
【図６】図６は、図５の概略的側面図である。
【図７】図７は、図５の７−７線の概略的断面図である。
【図８】図８は、図６の８−８線の概略的断面図である。
【図９】図９は、図５を背面側から見た概略的展開図である。
【図１０】図１０は、図９のランドセルカバーをランドセルの蓋に装着する前の状態を示す概略的図である。
【図１１】図１１は、図１のランドセルの蓋の開閉状態を概略的に示すランドセルの概略的右側面図である。
【発明を実施するための形態】
【００１５】
本発明の一実施例のランドセルカバーを図面（図１乃至図１１）を参照して説明する。
図１に示すＣはランドセルカバーで、ランドセルカバーＣは、ランドセル１の蓋１１を覆うものである。蓋１１（図１０）は、収納部１２Ａ、１２Ｂ、１２Ｃをランドセル１の上部からランドセル１の前面にわたって被覆するものである。
このランドセルカバーＣは、一方の端部に蓋１１の前縁部１１ａ（図１０）に当接する袋状部Ｃ１、この袋状部Ｃ１から遠い側の他方の端部に紐Ｃ２を備えている。
【００１６】
上記した袋状部Ｃ１は、ランドセル１１の係止金具１２を通す孔部Ｃ１１（例えば、図９、図１０に示す横長状の孔部）を有している。係止金具１２は、ランドセル１の底部の外面に固着された掛止金具（図示せず）に係脱自在に係合されるものである。
ランドセルカバーＣは、図１０、図３に示すように、孔部Ｃ１１を介して蓋１１に装着され、この装着は、蓋１１の前縁部１１ａに袋状部Ｃ１の底部が当接し（図３）、ランドセル１の背当て上部に取り付けられた係止部（例えば、環状部材）１３に紐Ｃ２で係止させ（具体的には、紐Ｃ２を係止部１３に結ぶ）、ランドセルカバーＣを蓋１１に装着したままランドセル１の収納部１２Ａ、１２Ｂ、１２Ｃの開口部を開閉できるようにしたものである。
【００１７】
上記したランドセルカバーＣには、ランドセル１の収納部１２Ａ、１２Ｂ、１２Ｃの開口部を覆った蓋１１と収納部１２Ａ、１２Ｂ、１２Ｃの開口部との隙間をランドセル１の一方の側面から覆う一方側面覆い部ＣＡ（図１、図４、図８）と、ランドセル１の収納部１２Ａ、１２Ｂ、１２Ｃの開口部を覆った蓋１１と収納部の開口部１２Ａ、１２Ｂ、１２Ｃとの隙間をランドセル１の他方の側面から覆う他方側面覆い部ＣＢ（図８、図１１）とを設けている。
一方側面覆い部ＣＡは、側面視、図４に示すように、長手方向両端に対し中途部の幅が広い略三日月形状をなし、一方側面覆い部ＣＡの部位ＣＡ１と部位ＣＡ２を繋ぐ部分はゴムが内在された伸縮部を形成している。
他方側面覆い部ＣＢは、一方側面覆い部ＣＡと同様、側面視、図１１に示すように、長手方向両端に対し中途部の幅が広い略三日月形状をなし、他方側面覆い部ＣＢの部位ＣＢ１と部位ＣＢ２を繋ぐ部分はゴムが内在された伸縮部を形成している。
【００１８】
従って、上述したランドセルカバーＣによれば、ランドセルカバーＣにランドセル１の収納部１２Ａ、１２Ｂ、１２Ｃの開口部を覆った蓋１１と収納部１２Ａ、１２Ｂ、１２Ｃの開口部との隙間をランドセル１の一方の側面から覆う一方側面覆い部ＣＡと、ランドセル１の収納部１２Ａ、１２Ｂ、１２Ｃの開口部を覆った蓋１１と収納部１２Ａ、１２Ｂ、１２Ｃの開口部との隙間をランドセル１の他方の側面から覆う他方側面覆い部ＣＢとを設けているため、蓋１１とランドセル１の収納部１２Ａ、１２Ｂ、１２Ｃの開口部との隙間からランドセルの収納部１２Ａ、１２Ｂ、１２Ｃへ侵入する雨を阻止することができ、しかも、一方側面覆い部ＣＡと他方側面覆い部ＣＢは、ランドセル１の側面全体を覆うものでないため、ランドセルカバーＣをランドセル１に装着したまま、ランドセル１の収納部１２Ａ、１２Ｂ、１２Ｃから、本、ノートを取り出すことができ、使用勝手の良好なランドセルカバーＣを得ることができる。
【００１９】
また、図９に示すＣ３は、平面視長方形であって、ランドセルカバーＣの他方の端部に前記他方の端部の略全幅に亘ってランドセルカバーＣに内在された芯材である。
即ち、平面視、長方形の芯材Ｃ３はランドセルカバーＣに内在され、芯材Ｃ３はランドセルカバーＣの他方の端部内であって、前記他方の端部の略全幅に亘っている。
つまり、ランドセルカバーＣの一方の端部は、蓋１１の前縁部１１ａに袋状部Ｃ１の底部が当接し、ランドセルカバーＣの他方の端部は、他方の端部の略全幅に亘って芯材Ｃ３（図９）が内在されているため、ランドセルカバーＣを蓋１１に装着したまま蓋１１を開閉しても、ランドセル１の蓋１１にランドセルカバーＣを装着した状態を保持することができるようになっている。
【００２０】
なお、上述したランドセル１の収納部１２Ａ、１２Ｂ、１２Ｃと上部が開口したままの収納部を３つ備えているが、本願発明は、これに限らず、上部が開口したままの収納部
が単一でも、複数（例えば、２と、４つ）でも同様に、適用することができる。
上部が開口した複数の収納部１２Ａ、１２Ｂ、１２Ｃの場合、図４記載のように、一方側面覆い部ＣＡで、蓋１１と上部が開口した複数の収納部１２Ａ、１２Ｂ、１２Ｃとの隙間をランドセル１の一方の側面から、他方側面覆い部ＣＢで、蓋１１と上部が開口した複数の収納部１２Ａ、１２Ｂ、１２Ｃとの隙間をランドセル１の他方の側面から、それぞれ覆うことが望ましい。
【符号の説明】
【００２１】
Ｃ      ランドセルカバー
ＣＡ      一方側面覆い部
ＣＢ      他方側面覆い部
１      ランドセル
１１      蓋
１２Ａ      収納部
１２Ｂ      収納部
１２Ｃ      収納部
【図１】
2014110835.tif 000003
【図２】
2014110835.tif 000004
【図３】
2014110835.tif 000005
【図４】
2014110835.tif 000006
【図５】
2014110835.tif 000007
【図６】
2014110835.tif 000008
【図７】
2014110835.tif 000009
【図８】
2014110835.tif 000010
【図９】
2014110835.tif 000011
【図１０】
2014110835.tif 000012
【図１１】
2014110835.tif 000013